(57)【要約】【課題】本発明は、現像装置起動時に現像容器内で回転する現像磁気ロールや現像剤搬送部材の回転軸を支持する軸受け部材の内部に設けられたベアリング部への現像剤の侵入を防ぎ、前記現像剤中のトナーが前記ベアリング部において固着し、現像磁気ロールや現像剤搬送部材の回転不良が発生することを防止する事ができ、且つ、取扱い作業性が良い現像装置を提供することを課題とする。【解決手段】現像装置に配設された回転軸を保持する軸受け部材のハウジングの内部に有り、前記回転軸に接触して設けられている現像剤侵入防止部材とベアリングとの間に設けた空間に、グリスを充填し、更には、前記回転軸に接触して設けられている現像剤侵入防止部材とベアリングとの間に設けられた空間に通じるグリス充填口を設けた。【選択図】  図１
2006098916.tif 000002
【特許請求の範囲】
【請求項１】
光導電性を有する感光体と対向し、粉体インクであるトナーと、前記トナーと摩擦帯電する磁性キャリアからなる現像剤を、複数の磁気吸引力を有する現像ロール部材を回転させて搬送し、前記感光体上に形成された静電潜像を現像する現像装置において、前記現像装置に配設された前記現像ロールの回転軸を保持する軸受け部材のハウジング内部に有って、前記回転軸に接触して設けられている現像剤侵入防止部材と、前記回転軸を保持するベアリングとの間に設けた空間に潤滑剤を充填したことを特徴とする電子写真装置の現像装置。
【請求項２】
回転軸を保持するベアリングとの間に設けた空間に外部から潤滑剤を充填する潤滑剤充填口が設けられていることを特徴とする請求項１記載の電子写真装置の現像装置。
【請求項３】
前記潤滑剤は、グリスからなる請求項１および２記載の電子写真方式装置の現像装置。
【発明の詳細な説明】
【技術分野】
【０００１】
本発明は電子写真装置の現像装置に関するものである。
【背景技術】
【０００２】
従来の技術を図２、及び、図３を用いて説明する。
【０００３】
図２に示す如く、粉体インクであるトナーと前記トナーと摩擦帯電する磁性キャリアからなる現像剤１０を用いて、光導電性を有する感光体１１上に形成された静電潜像を現像する電子写真装置の現像装置は、前記現像剤１０を貯めておく現像容器１と、前記感光体１１に対向し、且つ、近接して配置された、複数の回転する現像磁気ロール部材１２と、前記現像剤１０を前記現像磁気ロール部材１２に供給する回転する現像剤搬送部１３と、トナー１４を貯めておくトナーホッパ１５部により構成されている。
【０００４】
図３に示す如く、現像容器１内で回転する現像磁気ロールや現像剤搬送部材の回転軸２は、現像容器１の壁３に設けられた軸受け部材４により支持されている。前記軸受け部材４のハウジング５の内部には、前記回転軸２を回転可能に支持するベアリング６が設けられている。
【０００５】
現像装置が起動し、現像装置内の現像剤１０が流動すると、現像剤１０中のトナーや磁性キャリアは微小な粒子である為、飛散し、前記軸受け部材４内部に侵入する。現像剤１０が軸受け部材４内部に侵入すると、前記現像剤１０中のトナーがベアリング６部において融解、固着し、前記回転軸２の回転トルクが上昇し、更には、回転軸２の回転が阻止され回転不能となる不具合が起きる。
【０００６】
その為、軸受け部材４のハウジング５には、前記軸受け部材４の内部に現像剤１０が侵入することを防止するため、ハウジング５の現像容器１内部側に、現像剤侵入防止部材７を回転軸２に接触させて設けているのが一般的である。現像剤侵入防止部材７としては、ゴム製のシール部材や潤滑剤を含んだフェルト製の物が広く知られている。また、現像剤侵入防止部材７として、潤滑剤８を充填している現像剤侵入防止構造もある。
【０００７】
また、軸受け部材内部のベアリング部への現像剤の侵入を防止する他の方法としては、軸受け部材のハウジングに現像剤排出口を設け、更には、ブラシ状の排掃部材を回転軸に接触させて設け、軸受け部材内部に侵入した現像剤を軸受け部材外部に排出する方法が公知である。
(例えば、特許文献１参照)
【０００８】
【特許文献１】特開２０００−１４７９０４号公報
【発明の開示】
【発明が解決しようとする課題】
【０００９】
従来の軸受け部材の現像剤侵入防止構造においては次のような問題がある。
図３に示す如く、従来の軸受け部材のハウジングの現像容器内部側に、ゴム製やグリスを含んだフェルト製の現像剤侵入防止部材を、回転する現像磁気ロールや現像剤搬送部材の回転軸に接触させて設けた現像剤侵入防止構造では、現像剤中のトナーや磁性キャリアは微小な粒子である為、長時間使用すると、現像剤が現像剤侵入防止部材と回転軸との間に入り込み、現像剤中の磁性キャリアが研磨剤の役目となり、現像剤侵入防止部材を劣化させる。更には、現像剤侵入防止部材が劣化することで、現像剤がベアリング部へ侵入し、前記現像剤中のトナーがベアリング部で固着して、回転軸の回転が阻止され回転不能となる。
また、従来の現像剤侵入防止部材として、回転軸と、前記回転軸を保持するベアリングに接触するようにグリスを充填している現像剤侵入防止構造においては、現像剤侵入防止部材となるグリスは、現像剤中の磁性キャリアによる劣化はし難くいが、長時間使用すると、回転軸と前記軸受け部材のハウジングとの隙間から流出して減少し、現像剤侵入防止部材として機能しなくなり、結果として現像剤がベアリング部へ侵入し、前記現像剤中のトナーがベアリング部で固着して、回転軸の回転が阻止され回転不能となる。また、従来の、現像剤侵入防止部材としてグリスを充填している現像剤侵入防止構造では、回転軸と前記軸受け部材のハウジングとの隙間から流出したグリスを補う為には、軸受け部材を取外さなければならず、取扱い作業性が悪い。更には、取付けの際に、回動軸等がグリスに接触し、グリスを欠き取り、グリスの量が減少した場合、減少したグリスを補う為には、やはり、軸受け部材を取外さなければならず、取扱い作業性が悪い。
また一方で、軸受け部材のハウジングに現像剤排出口を設け、更には、ブラシ状の排掃部材を回転する現像磁気ロールや現像剤搬送部材の回転軸に接触させて設け、軸受け部材内部に侵入した現像剤を軸受け部剤外部に排出する方法においては、現像剤中のトナーは微小な粒子である為、ブラシ状の排掃部材では完全に排掃することができず、長時間使用すると、トナーがベアリング部へ侵入して固着し回転軸の回転が阻止され回転不能となる。
本発明は、現像装置起動時に現像容器内で回転する現像磁気ロールや現像剤搬送部材の回転軸を支持する軸受け部材の内部に設けられたベアリング部への現像剤の侵入を防ぎ、前記現像剤中のトナーが前記ベアリング部において固着し、現像磁気ロールや現像剤搬送部材の回転不良が発生することを防止する事ができ、且つ、取扱い作業性が良い現像装置を提供するものである。
【課題を解決するための手段】
【００１０】
上記課題を解決するため、現像装置に配設された回転軸を保持する軸受け部材のハウジングの内部に有り、前記回転軸に接触して設けられている現像剤侵入防止部材とベアリングとの間に設けた空間に、グリスを充填したことである。また、軸受け部材のハウジングには、前記回転軸に接触して設けられている現像剤侵入防止部材とベアリングとの間に設けられた空間に通じるグリス充填口が設けられている。
【発明の効果】
【００１１】
現像装置起動時に現像容器内で回転する現像磁気ロールや現像剤搬送部材の回転軸を支持する軸受け部材の内部に設けられたベアリング部への現像剤の侵入を防ぎ、前記現像剤中のトナーが前記ベアリング部において固着し、現像磁気ロールや現像剤搬送部材の回転不良が発生することを防止する事ができ、且つ、取扱い作業性が良い現像装置を提供することができる。
【発明を実施するための最良の形態】
【００１２】
以下、本発明の実施例を図面を用いて説明する。
【００１３】
図1は、本発明の一実施例を示した断面図である。図1に示す如く、現像容器１内で回転する現像磁気ロールや現像剤搬送部材の回転軸２は、現像容器１の壁３に設けられた軸受け部材４により支持されている。前記軸受け部材４のハウジング５の内部には、前記回転軸２を回転可能に支持するベアリング６が設けられている。ベアリング６を保持するハウジング５の現像容器１内部側には、現像剤侵入防止部材７が回転軸２に接触して設けられている。ベアリング６と現像剤侵入防止部材７との間には、空間ａ１が設けられており、空間ａ１にはグリス８が回転軸２に接触するように充填されている。また、軸受け部材４のハウジング５には、空間ａ１に通じるグリス充填口９が設けられている。
現像装置が起動すると、現像容器１内部の現像剤１０は流動する。現像剤１０中のトナーや磁性キャリアは微小な粒子である為、飛散し、回転軸２と軸受け部材４のハウジング５との隙間を通り、ベアリング６部に侵入しようとするが、ハウジング５の内部には、現像剤侵入防止部材７が回転軸２に接触して設けられており、且つ、現像剤侵入防止部材７とベアリング６との間には、空間ａ１が設けられており、空間ａ１にはグリス８が回転軸２に接触するように充填されているので、ベアリング６部に侵入することが無い。
また、現像剤侵入防止部材７とベアリング６との間の空間ａ１に充填されたグリス８は、現像剤侵入防止部材７が回転軸２に接触して設けてあるので、長時間使用しても、回転軸２とハウジング５との隙間ａ２から流出せず、減少しない。
【００１４】
更には、万一、取付けの際に回動軸２等がグリス８に接触し、グリス８を欠き取られるなどして、グリス８の量が減少し、減少したグリスを補う場合には、ハウジング５に設けられた、空間ａ１に通じるグリス充填用の穴９からグリス８を充填する事により、軸受け部材４を取外すことなくグリス８を充填する事ができ、取扱い作業性が良い。
【図面の簡単な説明】
【００１５】
【図１】本発明による実施例を示した断面図である。
【図２】従来の現像装置を示した断面図である。
【図３】従来の現像装置における回転軸を支持する軸受け部材部を示した断面図である。
【符号の説明】
【００１６】
１…現像容器、２…回転軸、３…壁、４…軸受け部材、５…ハウジング、６…ベアリング、７…現像剤侵入防止部材、８…グリス、９…グリス充填口、１０…現像剤、１１…感光体、１２…現像磁気ロール部材、１３…現像剤搬送部材、１４…トナー、１５…トナーホッパ、ａ１…空間、ａ２…隙間である。
【図１】
2006098916.tif 000003
【図２】
2006098916.tif 000004
【図３】
2006098916.tif 000005